(57)【要約】【課題】使用している外部記憶装置が何であるかを一目瞭然に使用者に認知せしめることのできる外部記憶装置及び外部記憶装置を使用する計算機を提供する。【解決手段】記憶装置の接続時に、ファイルやフォルダをアイコンで表示するアイコン表示画面をディスプレイ上に表示する計算機で使用される外部記憶装置であって、ファイルマネージャーの実行形式プログラムと、前記アイコン表示画面の背景画像を指定する設定情報ファイルと、該設定情報ファイルにより指定された背景画像の画像情報を含む画像情報ファイルとを備え、計算機接続時にアイコン表示画面の背景に前記画像情報ファイルの背景画像を表示する。【選択図】図１
2011128829.tif 000002
【特許請求の範囲】
【請求項１】
記憶装置の接続時に、ファイルやフォルダをアイコンで表示するアイコン表示画面をディスプレイ上に表示する計算機で使用される外部記憶装置であって、
ファイルマネージャーの実行形式プログラムと、前記アイコン表示画面の背景画像を指定する設定情報ファイルと、該設定情報ファイルにより指定された背景画像の画像情報を含む画像情報ファイルとを備え、計算機接続時にアイコン表示画面の背景に前記画像情報ファイルの背景画像を表示することを特徴とする外部記憶装置。
【請求項２】
請求項１記載の外部記憶装置において、実行形式プログラムは計算機のオペレーティングシステムごとに複数の実行形式プログラムを保持することを特徴とする外部記憶装置。
【請求項３】
請求項１記載の外部記憶装置において、画像情報ファイルは複数の背景画の画像情報を含み、適宜選択されることを特徴とする外部記憶装置。
【請求項４】
記憶装置の接続時に、ファイルやフォルダをアイコンで表示するアイコン表示画面をディスプレイ上に表示する計算機で使用される外部記憶装置であって、
ファイルマネージャーの実行形式プログラムと、前記アイコン表示画面の背景画像を指定する設定情報ファイルと、該設定情報ファイルにより指定された背景画像の画像情報を含む画像情報ファイルとを備え、
外部記憶装置表面に、前記背景画像が描かれていることを特徴とする外部記憶装置。
【請求項５】
記憶装置の接続時に、ファイルやフォルダをアイコンで表示するアイコン表示画面をディスプレイ上に表示する、外部記憶装置を使用する計算機であって、
計算機にファイルマネージャーの実行形式プログラムを備え、
外部記憶装置に、前記アイコン表示画面の背景画像を指定する設定情報ファイルと、該設定情報ファイルにより指定された背景画像の画像情報を含む画像情報ファイルとを備え、外部記憶装置を計算機接続時にアイコン表示画面の背景に前記画像情報ファイルの背景画像を表示することを特徴とする外部記憶装置を使用する計算機。
【請求項６】
記憶装置の接続時に、ファイルやフォルダをアイコンで表示するアイコン表示画面をディスプレイ上に表示する、外部記憶装置を使用する計算機であって、
計算機にファイルマネージャーの実行形式プログラムを備え、
外部記憶装置に、前記アイコン表示画面の背景画像を指定する設定情報ファイルと、該設定情報ファイルにより指定された背景画像の画像情報を含む画像情報ファイルとを備え、外部記憶装置を計算機接続時にアイコン表示画面の背景に前記画像情報ファイルの背景画像を表示するとともに、外部記憶装置表面に、前記背景画像が描かれていることを特徴とする外部記憶装置を使用する計算機。
【発明の詳細な説明】
【技術分野】
【０００１】
本発明は、外部記憶装置及び外部記憶装置を使用する計算機に係り、特に計算機の画面上で外部記憶装置を明確に識別することに関する。
【背景技術】
【０００２】
計算機で使用する外部記憶装置としては、多種多様なものがあり、可搬な情報記憶手段として広く使用されている。計算機のドライブ端子への接続形態としてはＵＳＢ端子によるもののほか、外部記憶装置に固有の接続端子を有するものもある。これらは例えば、フラッシュメモリ、ＨＤＤ、ＣＤ、ＤＶＤ、ＳＳＤ、ＢＤ、フロッピーディスク(登録商標)、ＳＤカード、ＳＤＨＣカード、ＸＤカードなどである。
【０００３】
外部記憶装置を、計算機のドライブ端子に接続して使用するとき、計算機の画面上にはファイルマネージャーによって当該外部記憶装置に対応するウィンドウが表示され、ウィンドウ上部のタイトル欄にこの外部記憶装置の名称と、使用しているドライブ端子名が表記され、かつウィンドウ内には、この外部記憶装置が記憶しているファイルやフォルダがアイコン表示される。
【０００４】
この画面で更にファイルのアイコンを開くと、ＷＯＲＤやＥＸＣＥＬといった文書画面に遷移し、フォルダのアイコンを開くと、その下位層にあるファイルやフォルダがアイコンで表示される。本発明においては、外部記憶装置を、計算機のドライブ端子に接続して使用するとき、ファイルやフォルダがアイコンで表示されるウィンドウ画面のことをアイコン表示画面と呼ぶことにする。
【０００５】
これらの外部記憶装置は、計算機のドライブ端子に接続されて使用され、内部記憶装置と外部記憶装置との間で、あるいは外部記憶装置間で、適宜記憶情報の複写、転写が行なわれる。具体的には、各記憶装置のアイコン表示画面が複数表示された画面上で、ファイルやフォルダのアイコンをマウスでドラッグして、他のアイコン表示画面に移し、あるいは移す先のドライブのフォルダ名などを指定することで、複写、転写が行なわれる。
【０００６】
計算機の使用者は、複写、転写を実行するときに、どこからどこに、何を移すのかは十分に承知をしたつもりで、上記の操作を実行するわけであるが、後になって、所望の場所に所望の情報がないことや、消去してしまったことに気づいたりする。特に、ファイルをバックアップする目的で、内部記憶装置のファイルを外部記憶装置に移す際には、内部記憶装置にある新しいファイルで外部記憶装置にある古いファイルを上書きすべきであるが、逆に古いファイルで新しいファイルを上書きしてしまう事故が起きやすい。先にも述べたように、アイコン表示画面の上部のタイトル欄には、この外部記憶装置の名称と、使用しているドライブ端子名が表記されてはいるが、使用者の注意を喚起しないままになっている場合が多い。
【０００７】
外部記憶装置を使用するときの係る誤用を防止するために、例えば引用文献１では、メモリカードを挿入するスロット位置に応じて、アイコン表示画面の表示位置を固定する。
【先行技術文献】
【特許文献】
【０００８】
【特許文献１】特開２００４−５４８７９号公報
【発明の概要】
【発明が解決しようとする課題】
【０００９】
引用文献１によれば、メモリカードを挿入するスロット位置に応じて、アイコン表示画面の表示位置が固定されるので、画面上に複数ウィンドウを表示する利用場面では、その位置から移動できないことが障害となる。また、近年では外部記憶装置の普及によってメモリカード以外にも多様な種類の外部記憶装置を計算機に接続して利用することが増えてきたが、引用文献１ではスロット位置と、アイコン表示画面の表示位置が特定されたのみであるので、多種多様な外部記憶装置と表示位置の関係を特定することにはならない。
【００１０】
以上のことから本発明においては、使用している外部記憶装置が何であるかを一目瞭然に使用者に認知せしめることのできる外部記憶装置及び外部記憶装置を使用する計算機を提供することを目的とする。
【課題を解決するための手段】
【００１１】
本発明の外部記憶装置は、記憶装置の接続時に、ファイルやフォルダをアイコンで表示するアイコン表示画面をディスプレイ上に表示する計算機で使用される外部記憶装置であって、ファイルマネージャーの実行形式プログラムと、アイコン表示画面の背景画像を指定する設定情報ファイルと、設定情報ファイルにより指定された背景画像の画像情報を含む画像情報ファイルとを備え、計算機接続時にアイコン表示画面の背景に画像情報ファイルの背景画像を表示する。
【００１２】
また、実行形式プログラムは計算機のオペレーティングシステムごとに複数の実行形式プログラムを保持するのがよい。
【００１３】
また、画像情報ファイルは複数の背景画像の画像情報を含み、適宜選択されるのがよい。
【００１４】
本発明の外部記憶装置は、記憶装置の接続時に、ファイルやフォルダをアイコンで表示するアイコン表示画面をディスプレイ上に表示する計算機で使用される外部記憶装置であって、ファイルマネージャーの実行形式プログラムと、アイコン表示画面の背景画像を指定する設定情報ファイルと、設定情報ファイルにより指定された背景画像の画像情報を含む画像情報ファイルとを備え、外部記憶装置表面に、背景画像が描かれている。
【００１５】
本発明は、記憶装置の接続時に、ファイルやフォルダをアイコンで表示するアイコン表示画面をディスプレイ上に表示する、外部記憶装置を使用する計算機であって、計算機にファイルマネージャーの実行形式プログラムを備え、
外部記憶装置に、アイコン表示画面の背景画像を指定する設定情報ファイルと、設定情報ファイルにより指定された背景画像の画像情報を含む画像情報ファイルとを備え、外部記憶装置を計算機接続時にアイコン表示画面の背景に画像情報ファイルの背景画像を表示する。
【００１６】
本発明は、記憶装置の接続時に、ファイルやフォルダをアイコンで表示するアイコン表示画面をディスプレイ上に表示する、外部記憶装置を使用する計算機であって、計算機にファイルマネージャーの実行形式プログラムを備え、外部記憶装置に、アイコン表示画面の背景画像を指定する設定情報ファイルと、設定情報ファイルにより指定された背景画像の画像情報を含む画像情報ファイルとを備え、外部記憶装置を計算機接続時にアイコン表示画面の背景に画像情報ファイルの背景画像を表示するとともに、外部記憶装置表面に、該画像が描かれている。
【発明の効果】
【００１７】
本発明によれば、アイコン表示画面の背景表示が、外部記憶装置に特有の背景表示となるので、外部記憶装置が何であるかを一目瞭然に使用者に認知せしめることができる。
【図面の簡単な説明】
【００１８】
【図１】本発明に係る外部記憶装置及び外部記憶装置を使用する計算機を示す図。
【図２】花柄表示を可能とするための外部記憶装置Ｍ２の記憶構造を示す図。
【図３】設定情報ファイルＦ２と、画像情報ファイルＦ３を外部記憶装置に搭載し、実行形式プログラムＦ１を計算機側に収納した図。
【図４】実行形式プログラムＦ１として異なるＯＳ用のものを備える図。
【図５】実行形式プログラムＦ１に記述された処理内容を示すフローチャート図。
【発明を実施するための形態】
【００１９】
以下図面を用いて、本発明の実施例について説明する。
【実施例】
【００２０】
図１は、本発明に係る外部記憶装置及び外部記憶装置を使用する計算機を示す図である。計算機は、キーボードＫＢ、ディスプレイ(モニタ画面)Ｖ、演算部ＣＰＵ、マウスMSなどから構成されており、通常は演算部ＣＰＵに設けられたスロット(図示せず)に外部記憶装置Ｍ１、Ｍ２が接続されて使用される。ディスプレイ(モニタ画面)Ｖには、外部記憶装置Ｍ１、Ｍ２のアイコン表示画面Ｖ１、Ｖ２が表示されている。
【００２１】
外部記憶装置Ｍ１、Ｍ２のアイコン表示画面Ｖ１、Ｖ２には、それぞれ上部のタイトル欄Ｖ１０、Ｖ２０に外部記憶装置の名称と、使用しているドライブ端子名が表記されている。また、アイコン表示画面Ｖ１、Ｖ２には、外部記憶装置Ｍ１、Ｍ２が記憶しているフォルダのアイコンＦＯ１、ＦＯ２並びにファイルのアイコンＦＩ１、ＦＩ２、ＦＩ３が表示されている。
【００２２】
ここで、外部記憶装置Ｍ２と、そのアイコン表示画面Ｖ２が、本発明にかかる部分であり、外部記憶装置Ｍ１と、そのアイコン表示画面Ｖ１が、従来の装置並びに表示に関わる部分である。このアイコン表示画面Ｖ１とＶ２を見比べて明らかなように、本発明のアイコン表示画面Ｖ２には背景に花柄が表示されているのに対して、アイコン表示画面Ｖ１の背景は無地あるいは特に区別されない通常表示のものである。また本発明ではさらに、外部記憶装置Ｍ２の表面に、アイコン表示画面Ｖ２の背景画像として使用されたと同じ花柄が貼付されている。この結果、使用者はアイコン表示画面上で、花柄表示の画面と、通常表示の画面とを明確に識別することが可能となる。また、花柄表示の画面が、どの外部記憶装置のものかを一目瞭然に理解できる。
【００２３】
かかる花柄表示を可能とするために、本発明の外部記憶装置Ｍ２は、図２の記憶構造を有する。この記憶構造は、通常のユーザファイル部分Ｐ１と本発明の花柄表示用ファイル部分Ｐ２の２種類からなる。通常のユーザファイル部分Ｐ１には、フォルダアイコンＦＯ２に対応するフォルダ情報ＦＯ２０並びにファイルアイコンＦＩ２、ＦＩ３に対応するファイル情報ＦＩ２０、ＦＩ３０が記録されている。
【００２４】
本発明の花柄表示用ファイル部分Ｐ２には、３種類のファイルが収納されている。第１のファイルＦ１は、ファイル名が「myfilemanager.app」であり、その意味はファイルマネージャーのプログラム本体であり、その内容は実行形式プログラムである。第２のファイルＦ２は、ファイル名が「myfilemanager.ini」であり、その意味は設定情報ファイルであり、内容は背景画像を「flower.png」とする指示である。第３のファイルＦ３は、ファイル名が「flower.png」であり、その意味は画像情報ファイルであり、内容は花柄の画像である。
【００２５】
これら一連のファイルの意味するところは、外部記憶装置が計算機に接続されて、計算機が実行形式プログラムである第１のファイルＦ１を参照したときに、ここに記述されたプログラムに従って第２のファイルＦ２を参照し、ここに記述された背景画像表示に関する指示に従い、アイコン表示画面の背景を第３のファイルＦ３の花柄にするというものである。
【００２６】
図２の実施例では、かかる背景画像表示を行なうために、実行形式プログラムＦ１と、設定情報ファイルＦ２と、画像情報ファイルＦ３を全て外部記憶装置に搭載することにしたが、その一部を計算機側に収納しておくこともできる。
【００２７】
図３の実施例では、設定情報ファイルＦ２と、画像情報ファイルＦ３を外部記憶装置に搭載し、実行形式プログラムＦ１を計算機側に収納している。この場合であっても、結果としてアイコン表示画面の背景を第３のファイルＦ３の花柄にするという意味では図２と同一の作用、効果を果たすことができる。
【００２８】
なお、図２と、図３では実行形式プログラムＦ１のファイル名の拡張子（.appと.exe）が相違するが、これは計算機のオペレーティングシステムが相違する場合を想定している。つまり、図２の場合にはこの外部記憶装置は、いわゆる商標名が「Ｍａｃ」のＭａｃＯＳ上で稼動することを想定しており、図３の場合にはいわゆる商標名が「Windows」のオペレーティングシステム上で稼動する。
【００２９】
実行形式プログラムＦ１は、異なるオペレーティングシステム上では作動できない。このため、図２の実行形式プログラムＦ１の拡張子が「.app」である外部記憶装置を、「Windows」オペレーティングシステムを搭載した計算機に接続しても花柄表示ができない。この点を改善したのが図４の実施例である。
【００３０】
図４の実施例では、実行形式プログラムＦ１と、設定情報ファイルＦ２と、画像情報ファイルＦ３を全て外部記憶装置に搭載しており、かつ実行形式プログラムＦ１は「Ｍａｃ」用のものと、「Windows」用のものとを備えている。これにより、どちらのオペレーティングシステムを搭載した計算機に接続した場合であっても花柄表示が行なえる。
【００３１】
なお、以上の説明においてはアイコン表示画面の背景を花柄とすることについて述べてきたが、花柄でなくとも、任意の背景画像とできることは言うまでもない。そして、画像情報ファイルＦ３として、これを複数用意しておき、適宜選択して表示するようにすることもできる。また、通信回線を介して背景画像情報を取り込むようにすることもできる。
【００３２】
図５は、実行形式プログラムＦ１に記述された処理内容を示すフローチャートであり、以下この動作について詳細に説明する。なお、実行形式プログラムＦ１が実行する内容そのものは、その格納場所が外部記憶装置であるときと、計算機であるときとで、格別の相違はないので、ここでの説明では特に相違を説明しない。
【００３３】
まず、図５のプログラムが稼動状態に入る前提として、外部記憶装置が計算機に接続されたものとする。また、計算機はこの接続をもって、図２と図４の場合には外部記憶装置Ｍ２内の特定のプログラム（この例では実行形式プログラムＦ１）を自動起動し、図３の場合には計算機内部記憶装置内の特定のプログラム（この例では実行形式プログラムＦ１）を自動起動する。この自動起動は、通常行なわれることであるので、これ以上の詳細説明は行なわない。
【００３４】
図５のプログラムのステップＳ１は、かかる状態で作動して、実行形式プログラムＦ１が属するフォルダへのパス(path)を取得する。パスとは、最上位フォルダから、該フォルダに至るまでの経路である。
【００３５】
ステップＳ２では、当該パスのドライブルート（drive root）を表示対象フォルダとする。ここでドライブルートとは、各記憶装置の最上位フォルダを意味しており、初期の表示画面としてF1が含まれている記憶装置の最上位フォルダのアイコン表示画面を表示すべきことを意味する。
【００３６】
ステップＳ３では、表示対象フォルダのドライブルートに設定情報ファイルＦ２があることを確認する。設定情報ファイルＦ２がある場合、ステップＳ４において設定情報ファイルＦ２に記載された画像情報ファイルＦ３を参照して花柄の画像を取得する。次にステップＳ５において、アイコン表示画面の背景に花柄画像を並べて表示する。これにより、図１のアイコン表示画面Ｖ２のように、背景に花柄が表示される。
【００３７】
設定情報ファイルＦ２がない場合、ステップＳ６において背景を無地、あるいは標準に準備された背景を表示する。これにより、図１のアイコン表示画面Ｖ１のように、背景には無地あるいは標準図柄が表示される。従って、この場合の背景は、他の背景と識別することができない。
【００３８】
以上のようにしてアイコン表示画面の背景が決定されると、次にステップＳ７では、アイコン表示画面のそのほかの表示を行なう。つまり、図１のアイコン表示画面Ｖ１、Ｖ２に表示対象フォルダに属するフォルダとファイルの名称及びこれらのアイコンを背景の上に重ねて表示する。また、上部のタイトル欄Ｖ１０、Ｖ２０に、外部記憶装置の名称と、使用しているドライブ端子名、表示対象フォルダのパスが表記される。
【００３９】
係る画面表示の下で、ステップＳ８では使用者はマウスＭＳあるいはキーボードＫＢを用いて画面操作を実行する。この画面操作の指令はステップＳ９において、ファイルの移動や名称変更あるいはファイルの実行や開示に係るものか、表示対象フォルダの変更に係るものであるかが区別される。前者の場合、ステップＳ１０において、この処理は計算機のオペレーティングシステムへのシステムコールによって、計算機側で実行され、実行形式プログラムＦ１の処理からは一時的に離脱する。なお、計算機側でのファイルの移動や名称変更処理が完了した場合には、再度ステップＳ３に戻り、表示画面として表示対象フォルダのアイコン表示画面を表示する。
【００４０】
後者の表示対象フォルダの変更に係るものである場合、ステップＳ１１において、変更後のフォルダを表示対象フォルダに選定してここでの処理を終了する。この後は、ステップＳ２において、最初にドライブルートという最上位フォルダのアイコン表示画面が初期画面として表示されていたものを、ステップＳ１１で変更された表示対象フォルダが、例えば、１つ下の階層のフォルダであるとき、このときのアイコン表示画面作成処理が、以後ステップＳ３乃至Ｓ７によって実行される。
【００４１】
このようにして、新たに表示対象として選択されたものが該外部記憶装置に属するフォルダである限り、アイコン表示画面が作成され、本発明の花柄背景表示が実行される。
【００４２】
以上詳細に説明した本発明によれば、図１から明らかなように背景が他のアイコン表示画面とは相違しているので、複写、転写の移動先を間違うという可能性を低くできる。かつ、外部記憶装置を複数接続している場合であっても、外部記憶装置にも背景画像と同じ花柄表示することで、どの外部記憶装置に記憶したかを間違うことがない。
【産業上の利用可能性】
【００４３】
本発明によれば、使用している外部記憶装置が何であるかを一目瞭然に使用者に認知せしめ、誤用を防止することができるので計算機と組み合わせて使用することで広く利用することができる。
【符号の説明】
【００４４】
ＫＢ：キーボード
Ｖ：ディスプレイ(モニタ画面)
ＣＰＵ：演算部
Ｍ１、Ｍ２：外部記憶装置
ＭＳ：マウス
Ｖ：ディスプレイ(モニタ画面)
Ｖ１、Ｖ２：アイコン表示画面
Ｖ１０、Ｖ２０：外部記憶装置の名称並びにドライブ端子名の表記欄
Ｐ１：通常のユーザファイル部分
Ｐ２：花柄表示用ファイル部分
ＦＯ２０：フォルダ情報
ＦＩ２０、ＦＩ３０：ファイル情報
Ｆ１：第１のファイル（実行形式プログラム）
Ｆ２：第２のファイル（設定情報ファイル）
Ｆ３：第３のファイル（画像情報ファイル）
【図１】
2011128829.tif 000003
【図２】
2011128829.tif 000004
【図３】
2011128829.tif 000005
【図４】
2011128829.tif 000006
【図５】
2011128829.tif 000007